(57)【要約】【課題】コモンモードノイズを効果的に解消若しくは低減することができるインバータ装置を提供する。【解決手段】インバータ装置１は、上アーム電源ライン１０及び下アーム電源ライン１５間に、各相毎に上アームスイッチング素子１８Ａ〜１８Ｃと下アームスイッチング素子１８Ｄ〜１８Ｆを直列接続し、これら各相の上下アームスイッチング素子の接続点の電圧を三相交流出力としてモータ８に印加するインバータ回路２８と、制御装置２１を備える。制御装置は、各相の上下アームスイッチング素子のスイッチングタイミングを同期させ、且つ、モータに印加される相電圧の変化を、他の相電圧の変化で打ち消す。【選択図】図１
2020137329.tif 000002
【特許請求の範囲】
【請求項１】
上アーム電源ライン及び下アーム電源ライン間に、各相毎に上アームスイッチング素子と下アームスイッチング素子を直列接続し、これら各相の上下アームスイッチング素子の接続点の電圧を三相交流出力としてモータに印加するインバータ回路と、
該インバータ回路の前記各相の上下アームスイッチング素子のスイッチングを制御する制御装置を備えたインバータ装置において、
前記制御装置は、前記各相の上下アームスイッチング素子のスイッチングタイミングを同期させ、且つ、前記モータに印加される相電圧の変化を、他の相電圧の変化で打ち消すことを特徴とするインバータ装置。
【請求項２】
前記制御装置は、前記各相の上下アームスイッチング素子のスイッチングタイミングが同期し、且つ、前記相電圧の変化が前記他の相電圧の変化で打ち消される前記各相の電圧指令値を生成して前記インバータ回路を制御することを特徴とする請求項１に記載のインバータ装置。
【請求項３】
前記制御装置は、前記モータに流れる電流の向きに応じて前記上下アームスイッチング素子のスイッチングタイミングが同期し、且つ、前記相電圧の変化が前記他の相電圧の変化で打ち消されるように前記電圧指令値を変更することを特徴とする請求項１又は請求項２に記載のインバータ装置。
【請求項４】
前記制御装置は、何れか一相の前記下アームスイッチング素子がＯＮし、他の二相の前記上アームスイッチング素子がＯＮしている状態からスイッチングの規定区間を開始することを特徴とする請求項１乃至請求項３のうちの何れかに記載のインバータ装置。
【請求項５】
前記制御装置は、何れか二相の前記下アームスイッチング素子がＯＮし、他の一相の前記上アームスイッチング素子がＯＮしている状態からスイッチングの規定区間を開始することを特徴とする請求項１乃至請求項３のうちの何れかに記載のインバータ装置。
【発明の詳細な説明】
【技術分野】
【０００１】
本発明は、インバータ回路により交流電圧をモータに印加して駆動するインバータ装置に関するものである。
【背景技術】
【０００２】
従来よりモータを駆動するためのインバータ装置は、複数のスイッチング素子により三相インバータ回路を構成すると共に、ＵＶＷ各相のスイッチング素子をＰＷＭ（Ｐｕｌｓｅ  Ｗｉｄｔｈ  Ｍｏｄｕｌａｔｉｏｎ）制御し、正弦波に近い電圧波形をモータに印加して駆動するものであるが、モータの中性点電位の変動により発生するコモンモードノイズが問題となっていた。
【０００３】
このコモンモードノイズは、例えば電動コンプレッサを構成するモータの場合、コンプレッサの筐体と接地間の浮遊容量を通して漏洩するコモンモード電流によって発生するものであるが、従来ではノイズフィルタを設置して規制を満足させていた。
【先行技術文献】
【特許文献】
【０００４】
【特許文献１】特許第４２７６０９７号公報
【特許文献２】特許第５０９３４５２号公報
【発明の概要】
【発明が解決しようとする課題】
【０００５】
しかしながら、係るノイズフィルタの設置は装置の大型化を招き、コストも高騰する問題がある。一方、モータの中性点電位は各相電圧の平均から求められるので、スイッチング素子のスイッチングによる相電圧の変化を調整して、モータの中性点電位の変動を抑制する方式も提案されている（例えば、特許文献１、特許文献２参照）。
【０００６】
本発明は、係る従来の状況を考慮して成されたものであり、コモンモードノイズを効果的に解消、若しくは、抑制することができるインバータ装置を提供することを目的とする。
【課題を解決するための手段】
【０００７】
本発明のインバータ装置は、上アーム電源ライン及び下アーム電源ライン間に、各相毎に上アームスイッチング素子と下アームスイッチング素子を直列接続し、これら各相の上下アームスイッチング素子の接続点の電圧を三相交流出力としてモータに印加するインバータ回路と、このインバータ回路の各相の上下アームスイッチング素子のスイッチングを制御する制御装置を備えたものであって、制御装置は、各相の上下アームスイッチング素子のスイッチングタイミングを同期させ、且つ、モータに印加される相電圧の変化を、他の相電圧の変化で打ち消すことを特徴とする。
【０００８】
請求項２の発明のインバータ装置は、上記発明において制御装置は、各相の上下アームスイッチング素子のスイッチングタイミングが同期し、且つ、相電圧の変化が他の相電圧の変化で打ち消される各相の電圧指令値を生成してインバータ回路を制御することを特徴とする。
【０００９】
請求項３の発明のインバータ装置は、上記各発明において制御装置は、モータに流れる電流の向きに応じて上下アームスイッチング素子のスイッチングタイミングが同期し、且つ、相電圧の変化が他の相電圧の変化で打ち消されるように電圧指令値を変更することを特徴とする。
【００１０】
請求項４の発明のインバータ装置は、上記各発明において制御装置は、何れか一相の下アームスイッチング素子がＯＮし、他の二相の上アームスイッチング素子がＯＮしている状態からスイッチングの規定区間を開始することを特徴とする。
【００１１】
請求項５の発明のインバータ装置は、上記請求項１乃至請求項３の発明において制御装置は、何れか二相の下アームスイッチング素子がＯＮし、他の一相の上アームスイッチング素子がＯＮしている状態からスイッチングの規定区間を開始することを特徴とする。
【発明の効果】
【００１２】
本発明によれば、上アーム電源ライン及び下アーム電源ライン間に、各相毎に上アームスイッチング素子と下アームスイッチング素子を直列接続し、これら各相の上下アームスイッチング素子の接続点の電圧を三相交流出力としてモータに印加するインバータ回路と、このインバータ回路の各相の上下アームスイッチング素子のスイッチングを制御する制御装置を備えたインバータ装置において、制御装置が、各相の上下アームスイッチング素子のスイッチングタイミングを同期させ、且つ、モータに印加される相電圧の変化を、他の相電圧の変化で打ち消すようにしたので、スイッチング素子のスイッチングタイミングによりモータの中性点電位の変動を解消、若しくは、著しく抑制することができるようになる。これにより、コモンモードノイズの発生を効果的に解消、若しくは、抑制することが可能となる。
【００１３】
この場合、実際には請求項２の発明の如く制御装置が、各相の上下アームスイッチング素子のスイッチングタイミングが同期し、且つ、相電圧の変化が他の相電圧の変化で打ち消される各相の電圧指令値を生成してインバータ回路を制御することになる。
【００１４】
ここで、スイッチング素子をスイッチングする際に考慮するデッドタイムでの相電圧はモータに流れる電流の向きに応じて変化する。そこで、請求項３の発明の如く制御装置が、モータに流れる電流の向きに応じて上下アームスイッチング素子のスイッチングタイミングが同期し、且つ、相電圧の変化が他の相電圧の変化で打ち消されるように電圧指令値を変更するようにすれば、モータに流れる電流の向きに関わらず、支障無く中性点電位の変動を解消、若しくは、抑制することができるようになる。
【００１５】
また、請求項４の発明の如く制御装置が、何れか一相の下アームスイッチング素子がＯＮし、他の二相の上アームスイッチング素子がＯＮしている状態からスイッチングの規定区間を開始し、或いは、請求項５の発明の如く制御装置が、何れか二相の下アームスイッチング素子がＯＮし、他の一相の上アームスイッチング素子がＯＮしている状態からスイッチングの規定区間を開始するようにすれば、相電圧の変化を他の相電圧の変化で円滑に打ち消すことができるようになる。
【図面の簡単な説明】
【００１６】
【図１】本発明の一実施例のインバータ装置の電気回路図である。
【図２】図１のモータを運転する電圧ベクトルＶ１〜Ｖ６を纏めて示した図である。
【図３】図１のインバータ装置の制御装置による電圧ベクトルＶ０の生成を説明する図である。
【図４】図１のインバータ装置の制御装置による電圧ベクトルＶ１の生成を説明する図である。
【図５】図１のインバータ装置の制御装置によるもう一つの電圧ベクトルＶ１の生成を説明する図である。
【図６】図１のインバータ装置の制御装置による電圧ベクトルＶ２の生成を説明する図である。
【図７】図１のインバータ装置の制御装置による電圧ベクトルＶ３の生成を説明する図である。
【図８】図１のインバータ装置の制御装置による電圧ベクトルＶ４の生成を説明する図である。
【図９】図１のインバータ装置の制御装置による電圧ベクトルＶ５の生成を説明する図である。
【図１０】図１のインバータ装置の制御装置による電圧ベクトルＶ６の生成を説明する図である。
【発明を実施するための形態】
【００１７】
以下、本発明の実施の形態について、図面に基づき詳細に説明する。実施例のインバータ装置１は、モータ８により圧縮機構を駆動する所謂インバータ一体型の電動コンプレッサに搭載されるものであり、電動コンプレッサは例えば車両用空気調和装置の冷媒回路を構成するものである。
【００１８】
（１）インバータ装置１の構成
図１においてインバータ装置１は、三相のインバータ回路（三相インバータ回路）２８と、制御装置２１を備えている。インバータ回路２８は、直流電源（車両のバッテリ：例えば、３００Ｖ）２９の直流電圧を三相交流電圧に変換してモータ８に印加する回路である。このインバータ回路２８は、Ｕ相ハーフブリッジ回路１９Ｕ、Ｖ相ハーフブリッジ回路１９Ｖ、Ｗ相ハーフブリッジ回路１９Ｗを有しており、各相ハーフブリッジ回路１９Ｕ〜１９Ｗは、それぞれ上アームスイッチング素子１８Ａ〜１８Ｃと、下アームスイッチング素子１８Ｄ〜１８Ｆを個別に有している。更に、各スイッチング素子１８Ａ〜１８Ｆには、それぞれフライホイールダイオード３１が逆並列に接続されている。
【００１９】
尚、各スイッチング素子１８Ａ〜１８Ｆは、実施例ではＭＯＳ構造をゲート部に組み込んだ絶縁ゲートバイポーラトランジスタ（ＩＧＢＴ）等から構成されている。
【００２０】
そして、インバータ回路２８の上アームスイッチング素子１８Ａ〜１８Ｃの上端側は、直流電源２９及び平滑コンデンサ３２の上アーム電源ライン（正極側母線）１０に接続されている。一方、インバータ回路２８の下アームスイッチング素子１８Ｄ〜１８Ｆの下端側は、直流電源２９及び平滑コンデンサ３２の下アーム電源ライン（負極側母線）１５に接続されている。
【００２１】
この場合、Ｕ相ハーフブリッジ回路１９Ｕの上アームスイッチング素子１８Ａと下アームスイッチング素子１８Ｄが直列に接続され、Ｖ相ハーフブリッジ回路１９Ｖの上アームスイッチング素子１８Ｂと下アームスイッチング素子１８Ｅが直列に接続され、Ｗ相ハーフブリッジ回路１９Ｗの上アームスイッチング素子１８Ｃと下アームスイッチング素子１８Ｆが直列に接続されている。
【００２２】
そして、Ｕ相ハーフブリッジ回路１９Ｕの上アームスイッチング素子１８Ａと下アームスイッチング素子１８Ｄの接続点は、モータ８のＵ相の電機子コイル２に接続され、Ｖ相ハーフブリッジ回路１９Ｖの上アームスイッチング素子１８Ｂと下アームスイッチング素子１８Ｅの接続点は、モータ８のＶ相の電機子コイル３に接続され、Ｗ相ハーフブリッジ回路１９Ｗの上アームスイッチング素子１８Ｃと下アームスイッチング素子１８Ｆの接続点は、モータ８のＷ相の電機子コイル４に接続されている。
【００２３】
（２）制御装置２１の構成
制御装置２１はプロセッサを有するマイクロコンピュータから構成されており、実施例では車両ＥＣＵから回転数指令値を入力し、モータ８から相電流を入力して、これらに基づき、インバータ回路２８の各スイッチング素子１８Ａ〜１８ＦのＯＮ／ＯＦＦ状態（スイッチング）を制御する。具体的には、各スイッチング素子１８Ａ〜１８Ｆのゲート端子に印加するゲート電圧を制御する。
【００２４】
実施例の制御装置２１は、相電圧指令演算部３３と、ＰＷＭ信号生成部３６と、ゲートドライバ３７と、モータ８に流れる各相のモータ電流（相電流）であるＵ相電流ｉｕ、Ｖ相電流ｉｖ、Ｗ相電流ｉｗを測定するためのカレントトランスから成る電流センサ２６Ａ、２６Ｂを有しており、各電流センサ２６Ａ、２６Ｂは相電圧指令演算部３３に接続されている。尚、電流センサ２６ＡはＵ相電流ｉｕを測定し、電流センサ２６ＢはＶ相電流ｉｖを測定する。そして、Ｗ相電流ｉｗはこれらから計算により求める。また、実施例のように各相のモータ電流を電流センサ２６Ａ、２６Ｂで測定する以外に、下アーム電源ライン１５の電流値を検出し、その電流値とモータ８の運転状態から相電圧指令演算部３３が推定するなど、各相電流を検出・推定する方法に関しては、特に、限定しない。
【００２５】
この相電圧指令演算部３３は、モータ８の電気角、電流指令値と相電流に基づいてモータ８の各相の電機子コイル２〜４に印加するＵ相電圧Ｖｕ、Ｖ相電圧Ｖｖ、Ｗ相電圧Ｖｗを生成するための三相変調電圧指令値Ｖｕ’（以下、Ｕ相電圧指令値Ｖｕ’）、Ｖｖ’（以下、Ｖ相電圧指令値Ｖｖ’）、Ｖｗ’（以下、Ｗ相電圧指令値Ｖｗ’）を演算し、生成する。
【００２６】
ＰＷＭ信号生成部３６は、相電圧指令演算部３３により演算された三相変調電圧指令値Ｖｕ’、Ｖｖ’、Ｖｗ’と、三角キャリア（キャリア三角波）との大小を比較することにより、インバータ回路２８のＵ相ハーフブリッジ回路１９Ｕ、Ｖ相ハーフブリッジ回路１９Ｖ、Ｗ相ハーフブリッジ回路１９Ｗの駆動指令信号となるＰＷＭ信号を発生させる。
【００２７】
ゲートドライバ３７は、ＰＷＭ信号生成部３６から出力されるＰＷＭ信号に基づき、Ｕ相ハーフブリッジ回路１９Ｕの上アームスイッチング素子１８Ａ、下アームスイッチング素子１８Ｄのゲート電圧と、Ｖ相ハーフブリッジ回路１９Ｖの上アームスイッチング素子１８Ｂ、下アームスイッチング素子１８Ｅのゲート電圧と、Ｗ相ハーフブリッジ回路１９Ｗの上アームスイッチング素子１８Ｃ、下アームスイッチング素子１８Ｆのゲート電圧を発生させる。
【００２８】
そして、インバータ回路２８の各スイッチング素子１８Ａ〜１８Ｆは、ゲートドライバ３７から出力されるゲート電圧に基づき、ＯＮ／ＯＦＦ駆動される。即ち、ゲート電圧がＯＮ状態（所定の電圧値）となるとスイッチング素子がＯＮ動作し、ゲート電圧がＯＦＦ状態（零）となるとスイッチング素子がＯＦＦ動作する。このゲートドライバ３７は、スイッチング素子１８Ａ〜１８Ｆが前述したＩＧＢＴである場合には、ＰＷＭ信号に基づいてゲート電圧をＩＧＢＴに印加するための回路であり、フォトカプラやロジックＩＣ、トランジスタ等から構成される。
【００２９】
そして、Ｕ相ハーフブリッジ回路１９Ｕの上アームスイッチング素子１８Ａと下アームスイッチング素子１８Ｄの接続点の電圧がＵ相電圧Ｖｕ（相電圧）としてモータ８のＵ相の電機子コイル２に印加（出力）され、Ｖ相ハーフブリッジ回路１９Ｖの上アームスイッチング素子１８Ｂと下アームスイッチング素子１８Ｅの接続点の電圧がＶ相電圧Ｖｖ（相電圧）としてモータ８のＶ相の電機子コイル３に印加（出力）され、Ｗ相ハーフブリッジ回路１９Ｗの上アームスイッチング素子１８Ｃと下アームスイッチング素子１８Ｆの接続点の電圧がＷ相電圧Ｖｗ（相電圧）としてモータ８のＷ相の電機子コイル４に印加（出力）される。
【００３０】
（３）制御装置２１の動作
次に、図２〜図１０を参照しながら、制御装置２１の実際の制御動作について説明する。本発明のインバータ装置１の制御装置２１の相電圧指令演算部３３は、モータ８の中性点電位Ｖｃの変動が無くなるようなＵ相電圧指令値Ｖｕ’、Ｖ相電圧指令値Ｖｖ’、及び、Ｗ相電圧指令値Ｖｗ’（三相変調電圧指令値）を演算し、モータ８を運転する電圧ベクトルＶ０〜Ｖ６を生成する（図２に纏めて示す）。そして、前述した回転数指令値に応じて何れかの電圧ベクトルＶ０〜Ｖ６を選択し、モータ８を運転する。
【００３１】
（３−１）電圧ベクトルＶ０
先ず、図３を用いて図２の電圧ベクトルＶ０の生成について説明する。図３の最上段は制御装置２１の相電圧指令演算部３３が生成するＵ相電圧指令値Ｖｕ’、Ｖ相電圧指令値Ｖｖ’、及び、Ｗ相電圧指令値Ｖｗ’と三角キャリアＸ１〜Ｘ４を示し、上から二段目は各スイッチング素子１８Ａ〜１８ＦのＯＮ／ＯＦＦ状態、下から二段目はモータ８に印加されるＵ相電圧Ｖｕ、Ｖ相電圧Ｖｖ、Ｗ相電圧Ｖｗ、最下段はモータ８の中性点電位Ｖｃをそれぞれ示している。
【００３２】
また、右側にモータ８に流れるＵ相電流ｉｕ、Ｖ相電流ｉｖ、及び、Ｗ相電流ｉｗの向きを示している。各相電流の向きの組み合わせは６つあり、モータ８に流入する方向を＋、モータ８から流出する方向を−で示している。図３の例は最上段の場合であり、Ｕ相電流ｉｕ、及び、Ｖ相電流ｉｖがモータ８に流入する向き、Ｗ相電流ｉｗはモータ８から流出する向きの場合を示している。
【００３３】
尚、実施例ではデッドタイムを作るために三角キャリアは二つの上りＸ１、Ｘ２と二つの下りＸ３、Ｘ４から成る。上りＸ２は上りＸ１より進み、下りＸ４は下りＸ３より進む位相である。そして、１キャリア周期の前半では、ＰＷＭ信号生成部３６が三角キャリアの上りＸ１と各電圧指令値Ｖｕ’、Ｖｖ’、Ｖｗ’を比較して、Ｕ相の下アームスイッチング素子１８Ｄ、Ｖ相の上アームスイッチング素子１８Ｂ、及び、Ｗ相の上アームスイッチング素子１８ＣをＯＮ／ＯＦＦするＰＷＭ信号を生成し、三角キャリアの上りＸ２と各電圧指令値Ｖｕ’、Ｖｖ’、Ｖｗ’を比較して、Ｕ相の上アームスイッチング素子１８Ａ、Ｖ相の下アームスイッチング素子１８Ｅ、及び、Ｗ相の下アームスイッチング素子１８ＦをＯＮ／ＯＦＦするＰＷＭ信号を生成する。
【００３４】
１キャリア周期の後半では、ＰＷＭ信号生成部３６が三角キャリアの下りＸ３と各電圧指令値Ｖｕ’、Ｖｖ’、Ｖｗ’を比較して、Ｕ相の上アームスイッチング素子１８Ａ、Ｖ相の下アームスイッチング素子１８Ｅ、及び、Ｗ相の下アームスイッチング素子１８ＦをＯＮ／ＯＦＦするＰＷＭ信号を生成し、三角キャリアの下りＸ４と各電圧指令値Ｖｕ’、Ｖｖ’、Ｖｗ’を比較して、Ｕ相の下アームスイッチング素子１８Ｄ、Ｖ相の上アームスイッチング素子１８Ｂ、及び、Ｗ相の上アームスイッチング素子１８ＣをＯＮ／ＯＦＦするＰＷＭ信号を生成する。
【００３５】
また、相電圧指令演算部３３は、実施例ではＵ相の下アームスイッチング素子１８ＤがＯＮし、Ｖ相の上アームスイッチング素子１８Ｂ、及び、Ｗ相の上アームスイッチング素子１８ＣがＯＮしている状態からスイッチングの規定区間を開始する。
【００３６】
実施例の如くＵ相電流ｉｕ、及び、Ｖ相電流ｉｖがモータ８に流入する向き、Ｗ相電流ｉｗはモータ８から流出する向きである場合、Ｕ相では上アームスイッチング素子１８ＡがＯＮしている期間にＵ相電圧Ｖｕが「Ｈ」となり、Ｖ相でも上アームスイッチング素子１８ＢがＯＮしている期間にＶ相電圧Ｖｖが「Ｈ」となり、Ｗ相では下アームスイッチング素子１８ＦがＯＦＦしている期間にＷ相電圧Ｖｗが「Ｈ」となる。この「Ｈ」の期間の幅の総和が各相電圧の大きさとなり、電圧ベクトルＶ０では三相全て「中」の大きさとなる。
【００３７】
また、この図から明らかな如く、相電圧指令演算部３３は各相電圧を「Ｈ」とするスイッチング素子のスイッチングタイミング（ＯＮ／ＯＦＦタイミング）を同期させ、且つ、Ｕ相電圧Ｖｕの変化を、Ｖ相電圧ＶｖとＷ相電圧Ｖｗの変化で打ち消すような電圧指令値Ｖｕ’、Ｖｖ’、Ｖｗ’を生成する。これにより、各相電圧Ｖｕ、Ｖｖ、Ｖｗの平均である中性点電位Ｖｃは常に一定となり、変化しなくなるので、コモンモードノイズが解消されることになる。
【００３８】
（３−２）電圧ベクトルＶ１（その１）
次に、図４を用いて図２の電圧ベクトルＶ１の生成について説明する。図４でも最上段はＵ相電圧指令値Ｖｕ’、Ｖ相電圧指令値Ｖｖ’、及び、Ｗ相電圧指令値Ｖｗ’と三角キャリアＸ１〜Ｘ４を示し、上から二段目は各スイッチング素子１８Ａ〜１８ＦのＯＮ／ＯＦＦ状態、下から二段目はモータ８に印加されるＵ相電圧Ｖｕ、Ｖ相電圧Ｖｖ、Ｗ相電圧Ｖｗ、最下段はモータ８の中性点電位Ｖｃをそれぞれ示している。
【００３９】
また、同様に右側にモータ８に流れるＵ相電流ｉｕ、Ｖ相電流ｉｖ、及び、Ｗ相電流ｉｗの向きを示している。図４の例も最上段の場合であり、Ｕ相電流ｉｕ、及び、Ｖ相電流ｉｖがモータ８に流入する向き、Ｗ相電流ｉｗはモータ８から流出する向きの場合を示している。
【００４０】
尚、ＰＷＭ信号生成部３６の動作については前述と同様である。また、同様に相電圧指令演算部３３は、実施例ではＵ相の下アームスイッチング素子１８ＤがＯＮし、Ｖ相の上アームスイッチング素子１８Ｂ、及び、Ｗ相の上アームスイッチング素子１８ＣがＯＮしている状態からスイッチングの規定区間を開始する。
【００４１】
実施例の如くＵ相電流ｉｕ、及び、Ｖ相電流ｉｖがモータ８に流入する向き、Ｗ相電流ｉｗはモータ８から流出する向きである場合、Ｕ相では上アームスイッチング素子１８ＡがＯＮしている期間にＵ相電圧Ｖｕが「Ｈ」となり、Ｖ相でも上アームスイッチング素子１８ＢがＯＮしている期間にＶ相電圧Ｖｖが「Ｈ」となり、Ｗ相では下アームスイッチング素子１８ＦがＯＦＦしている期間にＷ相電圧Ｖｗが「Ｈ」となる。この「Ｈ」の期間の幅の総和が各相電圧の大きさとなり、電圧ベクトルＶ１ではＵ相電圧Ｖｕが「大」、Ｖ相電圧ＶｖとＷ相電圧Ｖｗが「中」の大きさとなる。
【００４２】
また、この図から明らかな如く、電圧ベクトルＶ１でも相電圧指令演算部３３は各相電圧を「Ｈ」とするスイッチング素子のスイッチングタイミング（ＯＮ／ＯＦＦタイミング）を同期させ、且つ、Ｕ相電圧Ｖｕの変化を、Ｖ相電圧ＶｖとＷ相電圧Ｖｗの変化で打ち消すような電圧指令値Ｖｕ’、Ｖｖ’、Ｖｗ’を生成する。これにより、電圧ベクトルＶ１でも、各相電圧Ｖｕ、Ｖｖ、Ｖｗの平均である中性点電位Ｖｃは常に一定となり、変化しなくなるので、コモンモードノイズが解消されることになる。
【００４３】
（３−３）電圧ベクトルＶ１（その２）
次に、図５を用いてもう一つの電圧ベクトルＶ１の生成について説明する。図５でも最上段はＵ相電圧指令値Ｖｕ’、Ｖ相電圧指令値Ｖｖ’、及び、Ｗ相電圧指令値Ｖｗ’と三角キャリアＸ１〜Ｘ４を示し、上から二段目は各スイッチング素子１８Ａ〜１８ＦのＯＮ／ＯＦＦ状態、下から二段目はモータ８に印加されるＵ相電圧Ｖｕ、Ｖ相電圧Ｖｖ、Ｗ相電圧Ｖｗ、最下段はモータ８の中性点電位Ｖｃをそれぞれ示している。
【００４４】
また、同様に右側にモータ８に流れるＵ相電流ｉｕ、Ｖ相電流ｉｖ、及び、Ｗ相電流ｉｗの向きを示しているが、図５の場合には、Ｕ相電流ｉｕがモータ８に流入する向き、Ｖ相電流ｉｖ、及び、Ｗ相電流ｉｗはモータ８から流出する向きの場合である。
【００４５】
尚、ＰＷＭ信号生成部３６の動作については前述と同様である。また、同様に相電圧指令演算部３３は、実施例ではＵ相の下アームスイッチング素子１８ＤがＯＮし、Ｖ相の上アームスイッチング素子１８Ｂ、及び、Ｗ相の上アームスイッチング素子１８ＣがＯＮしている状態からスイッチングの規定区間を開始する。
【００４６】
前述した如く相電流がモータ８に流入する向きでは上アームスイッチング素子がＯＮしているときに相電圧は「Ｈ」となり、相電流がモータ８から流出する向きでは下アームスイッチング素子がＯＮしているときに相電圧は「Ｈ」となる。そのため、Ｕ相電流ｉｕがモータ８に流入する向き、Ｖ相電流ｉｖ、及び、Ｗ相電流ｉｗがモータ８から流出する向きの場合、電圧ベクトルＶ１を生成するために図４と同じタイミングでスイッチングすると、Ｖ相電流ｉｖはモータ８から流出する向きであるため、Ｖ相の下アームスイッチング素子１８ＥがＯＮする前のデッドタイムに、上アームスイッチング素子１８Ｂに接続されているフライホイールダイオード３１に電流が流れ、図４中に破線Ｚ１で示すようにＶ相電圧Ｖｖが「Ｈ」のままとなってしまい、図４中に破線Ｚ２で示すように中性点電位Ｖｃが変動してしまうことになる。
【００４７】
そこで、図５のような電流の向きの場合、相電圧指令演算部３３は図５のようなタイミングで各スイッチング素子１８Ａ〜１８Ｆがスイッチングされるような電圧指令値Ｖｕ’、Ｖｖ’、Ｖｗ’を生成する。即ち、図５の場合はＵ相電流ｉｕがモータ８に流入する向き、Ｖ相電流ｉｖとＷ相電流ｉｗがモータ８から流出する向きであるので、Ｕ相では上アームスイッチング素子１８ＡがＯＮしている期間にＵ相電圧Ｖｕが「Ｈ」となり、Ｖ相では下アームスイッチング素子１８ＥがＯＦＦしている期間にＶ相電圧Ｖｖが「Ｈ」となり、Ｗ相でも下アームスイッチング素子１８ＦがＯＦＦしている期間にＷ相電圧Ｖｗが「Ｈ」となる。この「Ｈ」の期間の幅の総和が各相電圧の大きさとなり、この場合も電圧ベクトルＶ１はＵ相電圧Ｖｕが「大」、Ｖ相電圧ＶｖとＷ相電圧Ｖｗが「中」の大きさとなる。
【００４８】
そして、この場合の電圧ベクトルＶ１では相電流の向きに応じて、相電圧指令演算部３３が各相電圧を「Ｈ」とするスイッチング素子のスイッチングタイミング（ＯＮ／ＯＦＦタイミング）を同期させ、且つ、Ｕ相電圧Ｖｕの変化を、Ｖ相電圧ＶｖとＷ相電圧Ｖｗの変化で打ち消すような電圧指令値Ｖｕ’、Ｖｖ’、Ｖｗ’に変更して出力する。これにより、この場合の電流の向きでも、電圧ベクトルＶ１で各相電圧Ｖｕ、Ｖｖ、Ｖｗの平均である中性点電位Ｖｃは常に一定となり、変化しなくなるので、コモンモードノイズが解消されることになる。
【００４９】
（３−４）電圧ベクトルＶ２
次に、図６を用いて図２の電圧ベクトルＶ２の生成について説明する。図６でも最上段はＵ相電圧指令値Ｖｕ’、Ｖ相電圧指令値Ｖｖ’、及び、Ｗ相電圧指令値Ｖｗ’と三角キャリアＸ１〜Ｘ４を示し、上から二段目は各スイッチング素子１８Ａ〜１８ＦのＯＮ／ＯＦＦ状態、下から二段目はモータ８に印加されるＵ相電圧Ｖｕ、Ｖ相電圧Ｖｖ、Ｗ相電圧Ｖｗ、最下段はモータ８の中性点電位Ｖｃをそれぞれ示している。
【００５０】
また、同様に右側にモータ８に流れるＵ相電流ｉｕ、Ｖ相電流ｉｖ、及び、Ｗ相電流ｉｗの向きを示している。図６の例は、Ｕ相電流ｉｕ、及び、Ｖ相電流ｉｖがモータ８に流入する向き、Ｗ相電流ｉｗはモータ８から流出する向き、或いは、Ｕ相電流ｉｕがモータ８に流入する向き、Ｖ相電流ｉｖ、及び、Ｗ相電流ｉｗはモータ８から流出する向きの場合を示している。
【００５１】
尚、ＰＷＭ信号生成部３６の動作については前述と同様である。また、同様に相電圧指令演算部３３は、実施例ではＵ相の下アームスイッチング素子１８ＤがＯＮし、Ｖ相の上アームスイッチング素子１８Ｂ、及び、Ｗ相の上アームスイッチング素子１８ＣがＯＮしている状態からスイッチングの規定区間を開始する。
【００５２】
この実施例でもＵ相電流ｉｕ、及び、Ｖ相電流ｉｖがモータ８に流入する向き、Ｗ相電流ｉｗはモータ８から流出する向きである場合、Ｕ相では上アームスイッチング素子１８ＡがＯＮしている期間にＵ相電圧Ｖｕが「Ｈ」となり、Ｖ相でも上アームスイッチング素子１８ＢがＯＮしている期間にＶ相電圧Ｖｖが「Ｈ」となり、Ｗ相では下アームスイッチング素子１８ＦがＯＦＦしている期間にＷ相電圧Ｖｗが「Ｈ」となる。また、Ｕ相電流ｉｕがモータ８に流入する向き、Ｖ相電流ｉｖ、及び、Ｗ相電流ｉｗがモータ８から流出する向きである場合には、Ｕ相では上アームスイッチング素子１８ＡがＯＮしている期間にＵ相電圧Ｖｕが「Ｈ」となり、Ｖ相では下アームスイッチング素子１８ＥがＯＦＦしている期間にＶ相電圧Ｖｖが「Ｈ」となり、Ｗ相でも下アームスイッチング素子１８ＦがＯＦＦしている期間にＷ相電圧Ｖｗが「Ｈ」となるが、Ｖ相電圧指令値Ｖｖ’は最高値で固定なので、電流の向きに関係なくＶ相電圧Ｖｖには変化がなくなる。
【００５３】
一方、Ｕ相電圧指令値Ｖｕ’とＷ相電圧指令値Ｖｗ’は低い値で固定なので、Ｕ相電圧ＶｕとＷ相電圧Ｖｗは同期して、且つ、相互に打ち消す方向に変化することになる。尚、電圧ベクトルＶ２はＵ相電圧ＶｕとＶ相電圧Ｖｖが「大」、Ｗ相電圧Ｖｗが「小」の大きさとなる。これにより、電圧ベクトルＶ２でも、各相電圧Ｖｕ、Ｖｖ、Ｖｗの平均である中性点電位Ｖｃは常に一定となり、変化しなくなるので、コモンモードノイズが解消されることになる。
【００５４】
（３−５）電圧ベクトルＶ３
次に、図７を用いて図２の電圧ベクトルＶ３の生成について説明する。図７でも最上段はＵ相電圧指令値Ｖｕ’、Ｖ相電圧指令値Ｖｖ’、及び、Ｗ相電圧指令値Ｖｗ’と三角キャリアＸ１〜Ｘ４を示し、上から二段目は各スイッチング素子１８Ａ〜１８ＦのＯＮ／ＯＦＦ状態、下から二段目はモータ８に印加されるＵ相電圧Ｖｕ、Ｖ相電圧Ｖｖ、Ｗ相電圧Ｖｗ、最下段はモータ８の中性点電位Ｖｃをそれぞれ示している。
【００５５】
また、同様に右側にモータ８に流れるＵ相電流ｉｕ、Ｖ相電流ｉｖ、及び、Ｗ相電流ｉｗの向きを示している。図７の例は、Ｕ相電流ｉｕ、及び、Ｖ相電流ｉｖがモータ８に流入する向き、Ｗ相電流ｉｗはモータ８から流出する向き、或いは、Ｕ相電流ｉｕがモータ８に流入する向き、Ｖ相電流ｉｖ、及び、Ｗ相電流ｉｗはモータ８から流出する向きの場合を示している。
【００５６】
尚、ＰＷＭ信号生成部３６の動作については前述と同様である。また、同様に相電圧指令演算部３３は、実施例ではＵ相の下アームスイッチング素子１８ＤがＯＮし、Ｖ相の上アームスイッチング素子１８Ｂ、及び、Ｗ相の上アームスイッチング素子１８ＣがＯＮしている状態からスイッチングの規定区間を開始する。
【００５７】
この実施例でもＵ相電流ｉｕ、及び、Ｖ相電流ｉｖがモータ８に流入する向き、Ｗ相電流ｉｗはモータ８から流出する向きである場合、Ｕ相では上アームスイッチング素子１８ＡがＯＮしている期間にＵ相電圧Ｖｕが「Ｈ」となり、Ｖ相でも上アームスイッチング素子１８ＢがＯＮしている期間にＶ相電圧Ｖｖが「Ｈ」となり、Ｗ相では下アームスイッチング素子１８ＦがＯＦＦしている期間にＷ相電圧Ｖｗが「Ｈ」となる。また、Ｕ相電流ｉｕがモータ８に流入する向き、Ｖ相電流ｉｖ、及び、Ｗ相電流ｉｗがモータ８から流出する向きである場合には、Ｕ相では上アームスイッチング素子１８ＡがＯＮしている期間にＵ相電圧Ｖｕが「Ｈ」となり、Ｖ相では下アームスイッチング素子１８ＥがＯＦＦしている期間にＶ相電圧Ｖｖが「Ｈ」となり、Ｗ相でも下アームスイッチング素子１８ＦがＯＦＦしている期間にＷ相電圧Ｖｗが「Ｈ」となるが、Ｖ相電圧指令値Ｖｖ’は最高値で固定なので、電流の向きに関係なくＶ相電圧Ｖｖには変化がなくなる。
【００５８】
一方、Ｕ相電圧指令値Ｖｕ’とＷ相電圧指令値Ｖｗ’は中程度の値で固定なので、Ｕ相電圧ＶｕとＷ相電圧Ｖｗは同期して、且つ、相互に打ち消す方向に変化することになる。尚、電圧ベクトルＶ３はＵ相電圧Ｖｕが「中」、Ｖ相電圧Ｖｖが「大」、Ｗ相電圧Ｖｗが「中」の大きさとなる。これにより、電圧ベクトルＶ３でも、各相電圧Ｖｕ、Ｖｖ、Ｖｗの平均である中性点電位Ｖｃは常に一定となり、変化しなくなるので、コモンモードノイズが解消されることになる。
【００５９】
（３−６）電圧ベクトルＶ４
次に、図８を用いて図２の電圧ベクトルＶ４の生成について説明する。図８でも最上段はＵ相電圧指令値Ｖｕ’、Ｖ相電圧指令値Ｖｖ’、及び、Ｗ相電圧指令値Ｖｗ’と三角キャリアＸ１〜Ｘ４を示し、上から二段目は各スイッチング素子１８Ａ〜１８ＦのＯＮ／ＯＦＦ状態、下から二段目はモータ８に印加されるＵ相電圧Ｖｕ、Ｖ相電圧Ｖｖ、Ｗ相電圧Ｖｗ、最下段はモータ８の中性点電位Ｖｃをそれぞれ示している。
【００６０】
尚、ＰＷＭ信号生成部３６の動作については前述と同様である。また、同様に相電圧指令演算部３３は、実施例ではＵ相の下アームスイッチング素子１８ＤがＯＮし、Ｖ相の上アームスイッチング素子１８Ｂ、及び、Ｗ相の上アームスイッチング素子１８ＣがＯＮしている状態からスイッチングの規定区間を開始する。
【００６１】
この実施例ではＵ相電圧指令値Ｖｕ’、Ｖ相電圧指令値Ｖｖ’、Ｗ相電圧指令値Ｖｗ’が全て最高値で固定なので、電流の向きに関係なくＵ相電圧Ｖｕ、Ｖ相電圧Ｖｖ、Ｗ相電圧Ｖｗには変化がなくなる。そして、電圧ベクトルＶ４はＵ相電圧Ｖｕが「小」、Ｖ相電圧ＶｖとＷ相電圧Ｖｗが「大」の大きさとなる。この場合にも各相電圧Ｖｕ、Ｖｖ、Ｖｗの平均である中性点電位Ｖｃは常に一定となり、変化しなくなるので、コモンモードノイズが解消されることになる。
【００６２】
（３−７）電圧ベクトルＶ５
次に、図９を用いて図２の電圧ベクトルＶ５の生成について説明する。図９でも最上段はＵ相電圧指令値Ｖｕ’、Ｖ相電圧指令値Ｖｖ’、及び、Ｗ相電圧指令値Ｖｗ’と三角キャリアＸ１〜Ｘ４を示し、上から二段目は各スイッチング素子１８Ａ〜１８ＦのＯＮ／ＯＦＦ状態、下から二段目はモータ８に印加されるＵ相電圧Ｖｕ、Ｖ相電圧Ｖｖ、Ｗ相電圧Ｖｗ、最下段はモータ８の中性点電位Ｖｃをそれぞれ示している。
【００６３】
また、同様に右側にモータ８に流れるＵ相電流ｉｕ、Ｖ相電流ｉｖ、及び、Ｗ相電流ｉｗの向きを示している。図９の例は、Ｕ相電流ｉｕ、及び、Ｖ相電流ｉｖがモータ８に流入する向き、Ｗ相電流ｉｗはモータ８から流出する向きの場合を示している。
【００６４】
尚、ＰＷＭ信号生成部３６の動作については前述と同様である。また、同様に相電圧指令演算部３３は、実施例ではＵ相の下アームスイッチング素子１８ＤがＯＮし、Ｖ相の上アームスイッチング素子１８Ｂ、及び、Ｗ相の上アームスイッチング素子１８ＣがＯＮしている状態からスイッチングの規定区間を開始する。
【００６５】
この実施例でもＵ相電流ｉｕ、及び、Ｖ相電流ｉｖがモータ８に流入する向き、Ｗ相電流ｉｗはモータ８から流出する向きである場合、Ｕ相では上アームスイッチング素子１８ＡがＯＮしている期間にＵ相電圧Ｖｕが「Ｈ」となり、Ｖ相でも上アームスイッチング素子１８ＢがＯＮしている期間にＶ相電圧Ｖｖが「Ｈ」となり、Ｗ相では下アームスイッチング素子１８ＦがＯＦＦしている期間にＷ相電圧Ｖｗが「Ｈ」となるが、Ｗ相電圧指令値Ｖｗ’は最高値で固定なので、電流の向きに関係なくＷ相電圧Ｖｗには変化がなくなる。
【００６６】
一方、Ｕ相電圧指令値Ｖｕ’は中程度の値で固定、Ｖ相電圧指令値Ｖｖ’はＵ相よりも高い中程度の値で固定である。これらの値は、デッドタイムを考慮してＵ相電圧ＶｕとＶ相電圧Ｖｗが同期し、且つ、相互に打ち消す方向に変化する値とされる。尚、電圧ベクトルＶ５はＵ相電圧Ｖｕが「中」、Ｖ相電圧Ｖｖが「中」、Ｗ相電圧Ｖｗが「大」の大きさとなる。これにより、電圧ベクトルＶ５でも、各相電圧Ｖｕ、Ｖｖ、Ｖｗの平均である中性点電位Ｖｃは常に一定となり、変化しなくなるので、コモンモードノイズが解消されることになる。
【００６７】
（３−８）電圧ベクトルＶ６
次に、図１０を用いて図２の電圧ベクトルＶ６の生成について説明する。図１０でも最上段はＵ相電圧指令値Ｖｕ’、Ｖ相電圧指令値Ｖｖ’、及び、Ｗ相電圧指令値Ｖｗ’と三角キャリアＸ１〜Ｘ４を示し、上から二段目は各スイッチング素子１８Ａ〜１８ＦのＯＮ／ＯＦＦ状態、下から二段目はモータ８に印加されるＵ相電圧Ｖｕ、Ｖ相電圧Ｖｖ、Ｗ相電圧Ｖｗ、最下段はモータ８の中性点電位Ｖｃをそれぞれ示している。
【００６８】
また、同様に右側にモータ８に流れるＵ相電流ｉｕ、Ｖ相電流ｉｖ、及び、Ｗ相電流ｉｗの向きを示している。図９の例は、Ｕ相電流ｉｕ、及び、Ｖ相電流ｉｖがモータ８に流入する向き、Ｗ相電流ｉｗはモータ８から流出する向きの場合を示している。
【００６９】
尚、ＰＷＭ信号生成部３６の動作については前述と同様である。また、同様に相電圧指令演算部３３は、実施例ではＵ相の下アームスイッチング素子１８ＤがＯＮし、Ｖ相の上アームスイッチング素子１８Ｂ、及び、Ｗ相の上アームスイッチング素子１８ＣがＯＮしている状態からスイッチングの規定区間を開始する。
【００７０】
この実施例でもＵ相電流ｉｕ、及び、Ｖ相電流ｉｖがモータ８に流入する向き、Ｗ相電流ｉｗはモータ８から流出する向きである場合、Ｕ相では上アームスイッチング素子１８ＡがＯＮしている期間にＵ相電圧Ｖｕが「Ｈ」となり、Ｖ相でも上アームスイッチング素子１８ＢがＯＮしている期間にＶ相電圧Ｖｖが「Ｈ」となり、Ｗ相では下アームスイッチング素子１８ＦがＯＦＦしている期間にＷ相電圧Ｖｗが「Ｈ」となるが、Ｗ相電圧指令値Ｖｗ’は最高値で固定なので、電流の向きに関係なくＷ相電圧Ｖｗには変化がなくなる。
【００７１】
一方、Ｕ相電圧指令値Ｖｕ’は小さい値で固定、Ｖ相電圧指令値Ｖｖ’は小さい値であるがＵ相よりも高い値で固定である。これらの値は、デッドタイムを考慮してＵ相電圧ＶｕとＶ相電圧Ｖｗが同期し、且つ、相互に打ち消す方向に変化する値とされる。尚、電圧ベクトルＶ６はＵ相電圧Ｖｕが「大」、Ｖ相電圧Ｖｖが「小」、Ｗ相電圧Ｖｗが「大」の大きさとなる。これにより、電圧ベクトルＶ６でも、各相電圧Ｖｕ、Ｖｖ、Ｖｗの平均である中性点電位Ｖｃは常に一定となり、変化しなくなるので、コモンモードノイズが解消されることになる。
【００７２】
以上詳述した如く本発明では制御装置２１が、各相の上下アームスイッチング素子１８Ａ〜１８Ｆのスイッチングタイミングを同期させ、且つ、モータ８に印加される相電圧Ｖｕ、Ｖｖ、Ｖｗの変化を、他の相電圧の変化で打ち消すような電圧指令値Ｖｕ’、Ｖｖ’、Ｖｗ’を生成するようにしたので、スイッチング素子１８Ａ〜１８Ｆのスイッチングタイミングによりモータ８の中性点電位Ｖｃの変動を解消、若しくは、著しく抑制することができるようになる。これにより、コモンモードノイズの発生を効果的に解消、若しくは、抑制することが可能となる。
【００７３】
また、実施例では制御装置２１がモータ８に流れる電流ｉｕ、ｉｖ、ｉｗの向きに応じて上下アームスイッチング素子１８Ａ〜１８Ｆのスイッチングタイミングが同期し、且つ、相電圧Ｖｕ、Ｖｖ、Ｖｗの変化が、他の相電圧の変化で打ち消されるように電圧指令値Ｖｕ’、Ｖｖ’、Ｖｗ’を変更するので、モータ８に流れる電流の向きに関わらず、支障無く中性点電位Ｖｃの変動を解消、若しくは、抑制することができるようになる。
【００７４】
また、実施例では制御装置２１が、何れか一相の下アームスイッチング素子（実施例では１８Ｄ）がＯＮし、他の二相の上アームスイッチング素子（実施例では１８Ｂ、１８Ｃ）がＯＮしている状態からスイッチングの規定区間を開始するので、各相電圧Ｖｕ、Ｖｖ、Ｖｗの変化を他の相電圧の変化で円滑に打ち消すことができるようになる。
【００７５】
尚、実施例とは逆に、制御装置２１が、何れか二相の下アームスイッチング素子がＯＮし、他の一相の上アームスイッチング素子がＯＮしている状態からスイッチングの規定区間を開始するようにしても、実施例と同様に各相電圧Ｖｕ、Ｖｖ、Ｖｗの変化を他の相電圧の変化で円滑に打ち消すことができるようになる。
【００７６】
また、流れる電流の大きさとスイッチング素子の特性によって、ゲート信号からスイッチング動作までの遅延時間及びスイッチング速度が変化する。そのため、より正確に中性点電位Ｖｃの変動を解消、若しくは、抑制するために、スイッチング素子に流れる電流の大きさと使用するスイッチング素子の特性により、ＰＷＭ信号生成部３６が各ハーフブリッジ回路１９Ｕ〜１９Ｗ毎にゲート信号の出力タイミングを微調整してもよい。この微調整のための演算に使用するスイッチング素子に流れる電流の大きさは、検出及び推定したモータ８に流れる電流の値により求めることができる。
【００７７】
更に、実施例で示した電圧ベクトルＶ０〜Ｖ６はそれに限られるものでは無く、本発明の趣旨を逸脱しない範囲で変更可能である。また、実施例では電動コンプレッサのモータを駆動制御するインバータ装置に本発明を適用したが、それに限らず、各種機器のモータの駆動制御に本発明は有効である。
【符号の説明】
【００７８】
１  インバータ装置
８  モータ
１０  上アーム電源ライン
１５  下アーム電源ライン
１８Ａ〜１８Ｆ  上下アームスイッチング素子
１９Ｕ  Ｕ相ハーフブリッジ回路
１９Ｖ  Ｖ相ハーフブリッジ回路
１９Ｗ  Ｗ相ハーフブリッジ回路
２１  制御装置
２６Ａ、２６Ｂ  電流センサ
２８  三相インバータ回路
３３  相電圧指令演算部
３６  ＰＷＭ信号生成部
３７  ゲートドライバ
【図１】
2020137329.tif 000003
【図２】
2020137329.tif 000004
【図３】
2020137329.tif 000005
【図４】
2020137329.tif 000006
【図５】
2020137329.tif 000007
【図６】
2020137329.tif 000008
【図７】
2020137329.tif 000009
【図８】
2020137329.tif 000010
【図９】
2020137329.tif 000011
【図１０】
2020137329.tif 000012